(57)【要約】【課題】  敷設が容易であるとともに、使用時に滑りにくく、かつ外観体裁が良い防草ブロック体を提供すること。【解決手段】  土壌表面を被覆するように設置することにより植物及びその種子の成長を抑制する防草ブロック体１であって、非透光性を有する板状部材２からなり、該板状部材２は、その上面または下面の少なくとも一方に溝ＴＬ、ＹＬが形成され、該溝ＴＬ、ＹＬにより表層部が複数のブロック部２ａに区画されているとともに、可撓性を有する連結材３が、複数のブロック部２ａにわたって延びるように一体的に設けられ、前記溝ＴＬ、ＹＬを介して屈曲自在に構成されている。【選択図】  図１
2007049940.tif 000002
【特許請求の範囲】
【請求項１】
土壌表面を被覆するように設置することにより植物及びその種子の成長を抑制する防草ブロック体であって、
非透光性を有する板状部材からなり、該板状部材は、その上面または下面の少なくとも一方に溝が形成され、該溝により表層部が複数のブロック部に区画されているとともに、可撓性を有する連結材が、複数のブロック部にわたって延びるように一体的に設けられ、前記溝を介して屈曲自在に構成されている、ことを特徴とする防草ブロック体。
【請求項２】
前記連結材は、前記板状部材の肉厚内における前記溝よりも内側に設けられている、ことを特徴とする請求項１に記載の防草ブロック体。
【請求項３】
前記板状部材は、コンクリート系材及び／またはガラス混合系材を含む、ことを特徴とする請求項１または２に記載の防草ブロック体。
【請求項４】
前記板状部材は、アルカリイオンを溶出するアルカリイオン溶出材を含む、ことを特徴とする請求項１ないし３のいずれかに記載の防草ブロック体。
【請求項５】
前記溝は、向きが異なる複数本の溝にて構成されている、ことを特徴とする請求項１ないし４のいずれかに記載の防草ブロック体。
【請求項６】
前記溝状は、縦断面略Ｖ字状に形成されている、ことを特徴とする請求項１ないし５のいずれかに記載の防草ブロック体。
【発明の詳細な説明】
【技術分野】
【０００１】
本発明は、例えば川岸、道路の盛土等に設置され、地面を被覆するように設置することにより植物及びその種子の成長を抑制する防草ブロック体に関する。
【背景技術】
【０００２】
従来、土壌の表面を被覆するように設置することにより植物及びその種子の成長を抑制するために、例えば砂利やチップ状に破砕した樹皮（いわゆるマルチング材）を土壌表面に敷き詰めたり、あるいは非透光性の合成樹脂製のシート材を土壌表面に敷設し、遮光により植物及びその種子の成長を抑制するものがある（例えば、特許文献１参照）。
【０００３】
【特許文献１】特開２００３−５２２９５号公報（第００３５段落、第６図）
【発明の開示】
【発明が解決しようとする課題】
【０００４】
しかしながら、上記したような砂利やマルチング材等にあっては、ある程度の深さを有するまで敷き詰めないと完全に遮光できないことがあるばかりか、その上を人が歩行しにくいといった問題があった。
【０００５】
また、上記特許文献１に記載の合成樹脂製のシート材にあっては、強度を持たせることで耐腐食性、耐久性が向上するものの、敷設時において、捲れることがないように端部をピンや杭で固定するなどの手間がかかるばかりか、特に斜面等に敷設する際には、表面が滑りやすく危険であり、また外観体裁が悪いといった問題があった。
【０００６】
本発明は、このような問題点に着目してなされたもので、敷設が容易であるとともに、使用時に滑りにくく、かつ外観体裁が良い防草ブロック体を提供することを目的とする。
【課題を解決するための手段】
【０００７】
前記課題を解決するために、本発明の請求項１に記載の防草ブロック体は、
土壌表面を被覆するように設置することにより植物及びその種子の成長を抑制する防草ブロック体であって、
非透光性を有する板状部材からなり、該板状部材は、その上面または下面の少なくとも一方に溝が形成され、該溝により表層部が複数のブロック部に区画されているとともに、可撓性を有する連結材が、複数のブロック部にわたって延びるように一体的に設けられ、前記溝を介して屈曲自在に構成されている、ことを特徴としている。
この特徴によれば、板状に形成された板状部材が溝を介して屈曲自在に構成されていることで、土壌表面の不陸に対応して設置できるばかりか、溝により複数のブロック部に区画されていることで歩行時に滑りにくい。また、シート材に比べて風や紫外線等により劣化しにくいばかりか、連結材が板状部材に一体的に設けられていることで、上面を人が歩行する等して荷重が加わっても十分に耐えうる強度を有するとともに、溝の形成箇所が割れても各ブロック部同士が分離することがない。
【０００８】
本発明の請求項２に記載の防草ブロック体は、請求項１に記載の防草ブロック体であって、
前記連結材は、前記板状部材の肉厚内における前記溝よりも内側に設けられている、ことを特徴としている。
この特徴によれば、連結材が外部に露呈することがないので、概観体裁が向上する。
【０００９】
本発明の請求項３に記載の防草ブロック体は、請求項１または２に記載の防草ブロック体であって、
前記板状部材は、コンクリート系材及び／またはガラス混合系材を含む、ことを特徴としている。
この特徴によれば、強度が高まるため、劣化が効果的に防止される。
【００１０】
本発明の請求項４に記載の防草ブロック体は、請求項１ないし３のいずれかに記載の防草ブロック体であって、
前記板状部材は、アルカリイオンを溶出するアルカリイオン溶出材を含む、ことを特徴としている。
この特徴によれば、アルカリイオンが土壌に溶出することで、植物及びその種子の育成が効果的に抑制される。
【００１１】
本発明の請求項５に記載の防草ブロック体は、請求項１ないし４のいずれかに記載の防草ブロック体であって、
前記溝は、向きが異なる複数本の溝にて構成されている、ことを特徴としている。
この特徴によれば、板状部材を他方向に向けて折り曲げできるので、土壌表面の不陸により対応しやすくなる。
【００１２】
本発明の請求項６に記載の防草ブロック体は、請求項１ないし５のいずれかに記載の防草ブロック体であって、
前記溝状は、縦断面略Ｖ字状に形成されている、ことを特徴としている。
この特徴によれば、溝の底部幅が広がって肉薄部が大となることを防止しつつ、上下方向への屈曲時におけるブロック部同士の干渉を回避できる。
【発明を実施するための最良の形態】
【００１３】
本発明の実施例を以下に説明する。
【実施例】
【００１４】
本発明の実施例を図面に基づいて説明すると、図１は本発明の実施例としての防草ブロック体を示す斜視図であり、図２は図１のＡ−Ａ断面図であり、図３は図１の防草ブロック体を示す平面図であり、図４は使用状態を示す断面図である。
【００１５】
本発明の実施例としての防草ブロック体１は、図１〜図３に示されるように、平面視正方形状（本実施例では１ｍ×１ｍ）をなすとともに、所定の肉厚（本実施例では約３ｃｍ）に形成された板状部材２と、該板状部材２の内部に一体的に埋設された連結材としての金網３と、から主に構成されている。
【００１６】
本実施例における板状部材２は、チップ状に粉砕したガラス（本実施例ではリサイクルガラス）を主な原材料とし、後述する方法にて非透光性を有するように成形されており、所定重量（約２５ｋｇ／m2）を有している。
【００１７】
板状部材２の上面には、複数本（本実施例では４本）の縦溝条ＴＬと、複数本（本実施例では４本）の横溝条ＹＬと、がそれぞれ互いに直交するように所定間隔おきに形成されており、これら直線状の縦溝条ＴＬ及び横溝条ＹＬにより表層部２ｂ（図２中拡大図参照）が複数のブロック部２ａに区画されている。つまり、板状部材２の表層部２ｂには、上方に向けて膨出する平面視正方形状の複数のブロック部２ａが突設されている。
【００１８】
これら縦溝条ＴＬ、横溝条ＹＬは、特に図２中拡大図に示されるように、板状部材２の肉厚の約半分ほどの深さを有し、断面略Ｖ字状に形成され、これら縦溝条ＴＬ、横溝条ＹＬが形成された部位は肉薄となっているため、縦溝条ＴＬまたは横溝条ＹＬのいずれかのラインに沿って板状部材２が上方または下方に向けて屈曲しやすいようになっている。
【００１９】
また、特に縦溝条ＴＬ、横溝条ＹＬが断面略Ｖ字状に形成されていることで、板状部材２を縦溝条ＴＬまたは横溝条ＹＬのいずれかのラインに沿って上方に向けて屈曲した場合において、縦溝条ＴＬまたは横溝条ＹＬを挟んで互いに隣り合うブロック部２ａ、２ａ同士が干渉しあうことが回避される。また、縦溝条ＴＬ、横溝条ＹＬの左右幅が下方に行くに従い小寸となり、上部幅に比べて底部幅が小寸となっているため、断面略凹状の溝条を凹設した場合に比べて、板状部材２における肉薄の部位を極力小さくしつつ、ブロック部２ａ、２ａ同士の干渉を回避できるため、強度が著しく低下してしまうことが防止されている。
【００２０】
板状部材２の下層部２ｃ（図２中拡大図参照）には、前述した金網３が埋設されている。この金網３は、特に図３に示されるように、平面視で板状部材２とほぼ同形をなす正方形状に形成されており、各線材が、複数のブロック部２ａにわたり延びるように、かつ各ブロック部２ａを斜めに横切るように配設されており、各ブロック部２ａに複数本の線材が挿通されている。
【００２１】
このように本実施例では、金網３は可撓性を有し、下層部２ｃの内部に埋設されており、縦溝条ＴＬ、横溝条ＹＬの底部よりも下方位置で、下面よりもやや上方位置に配置されているため、縦溝条ＴＬ、横溝条ＹＬに金網３が露呈して外観体裁が損なわれることがないとともに、安全である。
【００２２】
本実施例における防草ブロック体１は、鋳型にチップ状のガラス材等の原材料を投入し、下部に金網３を配設した状態で焼成炉にて鋳型を焼成した後、焼成炉から鋳型を取り出して除冷し、脱型することにより、板状部材２と金網３とが一体成形された防草ブロック体１が成形される。
【００２３】
なお、本実施例では金網３は、外面に露呈することがないように板状部材２の内部に完全に埋設されていたが、一部が外面（例えば溝条や下面）に露呈するように配設されていてもよい。
【００２４】
このように構成された本実施例における防草ブロック体１にあっては、前述したように、板状部材２を、縦溝条ＴＬまたは横溝条ＹＬのいずれかのラインに沿って上方または下方に屈曲自在に構成されていることで、図４に示されるように、例えば道路の路肩（土壌）等の表面Ｇに設置する際において、表面Ｇの一部が図のように傾斜していたり、凹凸部があったとしても、防草ブロック体１を表面Ｇの上面に設置したときに、表面Ｇの不陸に応じて縦溝条ＴＬまたは横溝条ＹＬのいずれかのラインに沿って上方または下方に屈曲される。
【００２５】
このように屈曲すると、板状部材２の内部に埋設された金網３により、板状部材２が所定の溝条に沿って折り曲げられた形状に保持されるため、表面Ｇに沿うように設置することができるとともに、設置後において浮き上がり等が発生することがない。また、土壌表面における設置した防草ブロック体１の板状部材２に被覆された部分は、非透光性を有する板状部材２により遮光されるため、雑草等の植物やその種子の成長が効果的に抑制される。
【００２６】
そして、複数の防草ブロック体１を隣接配置し、設置後において、各防草ブロック体１の所定箇所、例えば肉薄となっている溝条ＴＬ、ＹＬ等の形成箇所に、上方からピンや杭等を挿通して土壌に固定することにより、簡単に位置固定することができる。また、このようなピンや杭による固定は、従来のシート材のように端部が捲れ上がらないように多数固定する必要はなく、互いに所定重量を有する防草ブロック体１同士が隙間なく隣接配置されることで、簡単に位置固定できるので、設置が容易である。
【００２７】
以上説明してきたように、本実施例における防草ブロック体１にあっては、板状に形成された板状部材２が縦溝ＴＬ、横溝ＹＬを介して屈曲自在に構成されていることで、土壌表面Ｇの不陸に対応して変形させた状態で設置できるばかりか、縦溝ＴＬ、横溝ＹＬにより複数のブロック部２ａに区画されていることで、板状部材２の上面が凹凸状になるため、防草ブロック体１の上面を歩行しても滑りにくい。
【００２８】
また、シート材に比べて風や紫外線等により劣化しにくいばかりか、連結材としての金網３が板状部材２の内部に一体成型されていることで、上面を人が歩行する等して荷重が加わっても十分に耐えうる強度を有するとともに、板状部材２が折り曲げられた際において、板状部材２における縦溝ＴＬ、横溝ＹＬの形成箇所が割れることがあっても、金網３により各ブロック部２ａ同士が連結されていることで、各ブロック部２ａ同士が分離することがない。
【００２９】
また、板状部材２は、チップ状のガラス材を原材料として形成されていることで、その上を人が歩行しても、破損することがない十分な耐久性を有する。また、経年劣化しにくいとともに、所定重量を有しているため、従来のようなシート材に比べ、風等により端部が捲れ上がったりすることがないため、前述したように、設置時における固定も容易に行うことができる。
【００３０】
次に、本発明の変形例としての防草ブロック体について説明する。図５（ａ）は本発明の変形例としての防草ブロック体を示す平面図であり、（ｂ）は（ａ）のＢ−Ｂ断面図である。なお、本変形例において前述の実施例の防草ブロック体１と同様の構成部位に関しては、同様の符合を付すことで詳細な説明は省略する。
【００３１】
本変形例における防草ブロック体１０は、板状部材２の上面に、向きが異なる３種類の溝条Ｌ１、Ｌ２、Ｌ３、具体的には図５（ａ）中左上がり傾斜の溝条Ｌ１と、右上がり傾斜の溝条Ｌ２と、縦方向の溝条Ｌ３とが形成されており、これら溝条Ｌ１、Ｌ２、Ｌ３により、表層部が平面視六角形状の複数のブロック部２ａに区画されている。
【００３２】
このように、互いに他方向を向く複数種類の溝条Ｌ１、Ｌ２、Ｌ３によりブロック部２ａが形成されるようにすることで、前記実施例の防草ブロック体１と同様の作用・効果を奏するばかりか、縦または横の２方向のラインに沿って折れ曲がるだけでなく、他方向に折り曲げ自在になるため、土壌表面の不陸により対応して設置することができる。
【００３３】
次に、本発明の他の変形例としての防草ブロック体について説明する。図６（ａ）は本発明の変形例としての防草ブロック体を示す平面図であり、（ｂ）は（ａ）のＣ−Ｃ断面図である。なお、本変形例において前述の実施例の防草ブロック体１と同様の構成部位に関しては、同様の符合を付すことで詳細な説明は省略する。
【００３４】
本変形例における防草ブロック体２０は、板状部材２の上面に、直線状ではない溝Ｌ５が形成されており、この溝Ｌ５により、表層部が平面視円形状の複数のブロック部２ａに区画されている。
【００３５】
このように、ブロック部２ａの形状は平面視方形状のものに限定されるものではなく、平面視円形状に形成されていてもよく、前記実施例の防草ブロック体１と同様の作用・効果を奏する。なお、特に一部のブロック部２ａ’が他のブロック部２ａの半円形状に形成されていてもよく、この場合、図６（ａ）中２点鎖線で示されるように、隣接配置された他の防草ブロック体１の半円形状のブロック部２ａ’と隣接配置されることで、円形状のブロック部が形成されるようになっていてもよい。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例や変形例における板状部材２は、ガラス材を主な原材料として成型されたものであったが、本発明はこれに限定されるものではなく、コンクリート系材や合成樹脂系材等を適用してもよい。なお、板状部材２の遮光率は、雑草等の植物やその種子の成長を抑制しうるものであれば、必ずしも１００％の遮光率を有していなくてもよい。
【００３８】
また、板状部材２の原材料として、例えば鉄鋼スラブ等のアルカリ質の原材料、つまりアルカリイオンを溶出するアルカリイオン溶出材を適用してもよく、この場合、設置後において土壌表面にアルカリイオンが溶出されるため、化学的に植物及びその種子の成長を抑制できる。
【００３９】
また、前記実施例や変形例では、連結材として金網３が適用されていたが、連結材は、可撓性を有するとともに、少なくとも複数のブロック部２ａにわたり延びるように配設されれば、その形状は網目状のものに限定されるものではなく、種々に変更可能である。また、金網３等においては、板状部材２が折り曲げられたときに折り曲げられた形状に保持するが、本発明においては、可撓性を有していれば、弾性復帰力により形状が元の板形状に復帰する作用を有する部材にて構成してもよい。さらに、材質も金属に限定されるものではなく、合成樹脂材、ファイバー材等の他の材質も適用可能である。
【００４０】
また、前記実施例では、複数のブロック部２ａは板状部材２の上面側のみに形成されていたが、上面側とともに下面側にも溝条を形成して複数のブロック部２ａを形成してもよい。
【００４１】
また、前記実施例における板状部材２を、例えばガラス材を成型する際に発砲させるなどして透水性を有するようにしてもよく、このようすれば、雨水が防草ブロック体１を透過して土壌にしみこみやすくなるので、水はけがよくなるとともに、適度な軽量化を図ることができる。
【図面の簡単な説明】
【００４２】
【図１】本発明の実施例としての防草ブロック体を示す斜視図である。
【図２】図１のＡ−Ａ断面図である。
【図３】図１の防草ブロック体を示す平面図である。
【図４】使用状態を示す断面図である。
【図５】本発明の変形例としての防草ブロック体である。
【図６】本発明の他の変形例としての防草ブロック体である。
【符号の説明】
【００４３】
１            防草ブロック体
２            板状部材
２ａ、２ａ    ブロック部
２ｂ          表層部
２ｃ          下層部
３            金網
１０、２０    防草ブロック体
Ｇ            土壌表面
Ｌ１〜Ｌ３    溝条（溝）
Ｌ５          溝
ＴＬ、ＹＬ    溝条（溝）
V            縦断面略
【図１】
2007049940.tif 000003
【図２】
2007049940.tif 000004
【図３】
2007049940.tif 000005
【図４】
2007049940.tif 000006
【図５】
2007049940.tif 000007
【図６】
2007049940.tif 000008